(57)【要約】【課題】  従来に無い変形過程を楽しむことができる形態変形玩具を提供する。【解決手段】  移動玩具は人形玩具の上半身に装着されてロボット玩具の上半身の外装３０を構成する、複数の部品から構成された組立部品を含んでいる。この組立部品は、第１乃至第３の組立部品構成部によって構成される。第１の組立部品構成部（１３Ａ，１４，１５）は、人形玩具の前面部側に配置される。第２の組立部品構成部（１１，１３Ｂ，１７）は、第１の組立部品構成部に連結されて人形玩具の背面部側に配置される。第３の組立部品構成部を構成するハンドル（１６Ａ，１６Ｂ）は、第１及び第２の組立部品構成部を連結する。第１の組立部品構成部乃至第３の組立部品構成部は、環状に組み合わされて人形玩具の外装３０を構成する。【選択図】図３
2005224253.tif 000002
【特許請求の範囲】
【請求項１】
二輪車等の移動玩具に人形玩具が乗った状態から、前記移動玩具の少なくとも一部を変形させて前記人形玩具に装着することにより前記人形玩具とは形態が異なったロボット玩具を構成する形態変形玩具であって、
前記移動玩具は前記人形玩具の上半身に装着されて前記ロボット玩具の上半身の外装を構成する、複数の部品から構成された組立部品を含んでおり、
前記組立部品は、それぞれ１以上の前記部品から構成され、主として前記人形玩具の前面部側に配置される第１の組立部品構成部と、前記第１の組立部品構成部に連結されて前記人形玩具の背面部側に配置される第２の組立部品構成部と、前記第１及び第２の組立部品構成部を連結する第３の組立部品構成部とを備えており、
前記第１の組立部品構成部乃至前記第３の組立部品構成部は、環状に組み合わされて少なくとも前記人形玩具の肩部、股部、前記前面部及び前記背面部を囲む構造を有する前記外装を形成するように構成されていることを特徴とする形態変形玩具。
【請求項２】
二輪車等の移動玩具に人形玩具が乗った状態から、前記移動玩具の一部を変形させて前記人形玩具に装着することにより前記人形玩具とは形態が異なったロボット玩具を構成する形態変形玩具であって、
前記移動玩具は、前記人形玩具の脚部に装着されて前記ロボット玩具の脚部の脛部を構成する１以上の部品から構成される一対の脛部構成部品と、前記人形玩具の上半身に装着されて前記ロボット玩具の上半身の外装を構成する、複数の部品から構成された組立部品とを少なくとも含んで構成され、
前記組立部品は、それぞれ１以上の前記部品から構成され、主として前記人形玩具の前面部側に配置される第１の組立部品構成部と、前記第１の組立部品構成部に連結されて前記人形玩具の背面部側に配置される第２の組立部品構成部と、前記第１及び第２の組立部品構成部を連結し且つ前記人形玩具の頭部を露出させるように前記人形玩具の肩部上に配置される第３の組立部品構成部とを備え、
前記第１の組立部品構成部乃至第３の組立部品構成部は、環状に組み合わされて前記人形玩具の脚部、腕部及び頭部を除いた前記人形玩具の肩部、股部、前記前面部及び前記背面部を囲む構造を有する前記外装を形成するように構成されていることを特徴とする形態変形玩具。
【請求項３】
前記移動玩具はオートバイであり、
前記第１の組立部品構成部は前記オートバイのフロントカバー、フロントフォーク及びフロント側フレームを含んでおり、前記第２の組立部品構成部は燃料タンク、着座部、リア側フレーム及びリアカバーを含んでおり、前記第３の組立部品構成部はハンドルを含んでおり、
少なくとも前記フロント側フレームと前記リア側フレームは回動自在に連結されており、
前記燃料タンクは、左右に別れる二つのタンク半部が組み合わされて構成され、前記第１乃至第３の組立部品構成部を環状に組み合わせる際に、左右に分かれた前記二つのタンク半部の間を前記フロント側フレームが通過し得るように前記二つのタンク半部が前記リア側フレームに取り付けられていることを特徴とする請求項１または２に記載の形態変形玩具。
【請求項４】
前記人形玩具の前記背面部には被係合部が設けられており、
前記リアカバーの前記着座部側のカバー部分は反転可能にリアカバー本体に支持されており、
前記カバー部分の裏面には前記人形玩具に設けられた前記被係合部と係合する係合部が設けられている請求項３に記載の形態変形玩具。
【請求項５】
前記ハンドルの一対の腕部の端部が前記リアカバーと係合して環状の前記外装が形成され、前記ハンドルが前記人形玩具の前記肩部の上に位置し得るように前記ハンドルの構造及びリアカバーの構造が定められていることを特徴とする請求項３に記載の形態変形玩具。
【請求項６】
前記フロント側フレームと前記フロントフォークとが所定の角度範囲内において回動自在に連結されており、
前記リア側フレームと前記リアカバーとが所定の回動範囲内において回動自在に連結されている請求項３に記載の形態変形玩具。
【請求項７】
前記一対の脛部構成部品が前記オートバイの一対のマフラー構成部である請求項２に記載の形態変形玩具。
【請求項８】
前記オートバイの２本のタイヤは車軸と直交する方向に２分割可能な構造を有しており、
２分割された２本のタイヤのタイヤ半部が、それぞれ前記ロボット玩具の前記外装及び／または前記両脛部に装着されている請求項７に記載の形態変形玩具。
【発明の詳細な説明】
【技術分野】
【０００１】
本発明は、移動玩具に人形玩具が乗った状態から、人形玩具とは形態が異なったロボット玩具に形態変形する形態変形玩具に関するものである。
【背景技術】
【０００２】
実開平５−１９５号（特許文献１）には、移動玩具に人形玩具が乗った状態から、移動玩具の少なくとも一部を変形させて人形玩具に装着することにより、人形玩具とは形態が異なったロボット玩具を構成する形態変形玩具の一例が示されている。この従来技術は、移動玩具を分解して得た組立部品構成部を単に人形玩具に装着することによりロボット玩具を構成する。
【０００３】
実開昭６０−１０２０９２号公報（特許文献２）、実開昭６１−７７０９４号公報（特許文献３）及び実開昭６４−２０８９１号公報（特許文献４）には、オートバイを変形してロボット玩具を構成する形態変形玩具が示されている
【特許文献１】実開平５−１９５号  図１〜図１０
【特許文献２】実開昭６０−１０２０９２号公報  図５
【特許文献３】実開昭６１−７７０９４号公報  図２及び図３
【特許文献４】実開昭６４−２０８９１号公報  第３図
【発明の開示】
【発明が解決しようとする課題】
【０００４】
しかしながら特許文献１に示された形態変形玩具では、単純に移動玩具を分解して得た組立部品構成部を比較的単純に人形玩具に取り付けていくだけで形態変形をさせるため、変形過程を楽しむことに限界があった。また予想外の形態変形を期待することができない問題があった。
【０００５】
本発明の目的は、従来に無い変形過程を楽しむことができる形態変形玩具を提供することにある。
【０００６】
本発明の他の目的は、移動玩具が予想外の形態変形をする形態変形玩具を提供することにある。
【０００７】
本発明の別の目的は、オートバイを構成する組立部品を変形させて人形玩具に実装する外装を作ることにより、変形過程を十分に楽しむことができる形態変形玩具を提供することにある。
【０００８】
本発明の他の目的は、オートバイの燃料タンクが障害となることなく変形し得る形態変形玩具を提供することにある。
【０００９】
本発明の更に他の目的は、移動玩具の組立部品を用いて形成した外装が人形玩具から外れ難い形態変形玩具を提供することにある。
【課題を解決するための手段】
【００１０】
本発明は、二輪車等の移動玩具に人形玩具が乗った状態から、移動玩具の少なくとも一部を変形させて人形玩具に装着することにより人形玩具とは形態が異なったロボット玩具を構成する形態変形玩具を対象とする。ここで移動玩具は、オートバイ、自転車、自動車、モータボート、飛行機等いかなるものでもよい。また人形玩具は、人間の人形に限られるものではなく、それ自体がロボットでもよい。移動玩具は人形玩具の上半身に装着されてロボット玩具の上半身の外装を構成する、複数の部品から構成された組立部品を含んでいる。この組立部品は、それぞれ１以上の部品から構成された第１乃至第３の組立部品構成部によって構成される。第１の組立部品構成部は、主として人形玩具の前面部側に配置される。第２の組立部品構成部は、第１の組立部品構成部に連結されて人形玩具の背面部側に配置される。第３の組立部品構成部は、第１及び第２の組立部品構成部を連結する。そしてこれら第１の組立部品構成部乃至第３の組立部品構成部は、環状に組み合わされて少なくとも人形玩具の肩部、股部、前面部及び背面部を囲む構造を有する外装を形成するように構成されている。このような環状の外装構造は、従来にないものであり、またこの外装を構成するまでの変形過程も従来にないものである。したがって本発明の形態変形玩具によれば、従来にない変形過程を楽しむことができる。また移動玩具の一部を構成する組立部品の予想外の変形により、形態変形玩具に対する興味を高めることができる。
【００１１】
特に第３の組立部品構成部を、人形玩具の頭部を露出させるように人形玩具の肩部上に配置する構造にすると、人形玩具の頭部をそのままロボット玩具の頭部として利用することができる。また組立部品で人形玩具の主要部（人形本体部）を取り囲むという簡単な作業だけで、人形玩具の上半身に堅牢感のある外装をしっかりと装着することができる。さらに第３の組立部品構成部から露出する頭部が、組立部品を人形玩具に取り付ける際の位置決め手段及び移動阻止手段として機能するため、組立部品の人形玩具への装着が容易になる利点が得られる。
【００１２】
なお人形玩具の脚部に装着されてロボット玩具の脚部の脛部を構成する１以上の部品から構成される一対の脛部構成部品を、移動玩具を構成する部品が含んでいてもよい。このような一対の脛部構成部品を人形玩具に装着すれば、人形玩具の上半身に比較的大きな外装を装着した場合において、ロボット玩具の上半身に見合った重量の下半身を構成することができ、ロボット玩具の安定性を高めることができる。
【００１３】
移動玩具がオートバイである場合には、例えば、第１の組立部品構成部をオートバイのフロントカバー、フロントフォーク及びフロント側フレームを含むものとして構成することができる。また第２の組立部品構成部は、燃料タンク、着座部、リア側フレーム及びリアカバーを含んで構成することができる。さらに第３の組立部品構成部はハンドルを含んで構成することができる。そしてこの場合においては、少なくともフロント側フレームとリア側フレームは回動自在に連結しておくのが好ましい。また燃料タンクを、左右に別れる二つのタンク半部を組み合わせて構成する。この場合には、第１乃至第３の組立部品構成部を環状に組み合わせる際に、左右に分かれた二つのタンク半部の間をフロント側フレームが通過し得るように二つのタンク半部をリア側フレームに取り付ける。このように第１乃至第３の組立部品構成部を構成すると、環状の外装を構成する際には、燃料タンクを構成する二つ割のタンク半部を左右に開く。そして、二つのタンク半部の間にできた隙間を通してフロント側フレームをリア側フレームに近付ける方向に回動させることができるので、燃料タンクの存在が環状の外装を形成する際の障害になることがない。
【００１４】
また人形玩具の背面部には凸部または凹部等からなる被係合部を設けておくのが好ましい。この場合には、リアカバーの着座部側のカバー部分を反転可能にリアカバー本体に支持する。そしてカバー部分の裏面には人形玩具に設けられた被係合部と係合する係合部を設ける。このようにすると人形玩具に外装を装着する際に、人形玩具の背面部に設けた被係合部とリアーカバー側に設けた係合部とを係合させるこにより、外装と人形玩具との間にガタツキを生じさせることなく外装を人形玩具に装着することができる。特に、リアカバーのカバー部分を反転可能に構成したので、ロボット玩具に変形しない場合においては、係合部の存在が邪魔になることがない。
【００１５】
第３の組立部品構成部にハンドルを含む場合においては、ハンドルの一対の腕部の端部がリアカバーと係合して環状の外装を形成し、ハンドルが人形玩具の肩部の上に位置し得るようにハンドルの構造及びリアカバーの構造を定める。このようにするとハンドルの一対の腕部の間から人形玩具の頭部を出すことができて、しかも人形玩具の頭部をロボット玩具の頭部としてそのまま利用することが可能になる。
【００１６】
またフロント側フレームとフロントフォークとを所定の角度範囲内において回動自在に連結し、リア側フレームとリアカバーとを所定の回動範囲内において回動自在に連結するのが好ましい。このようにすると環状の外装に含まれる回動連結部の数が増えるため、環状の外装の変形が容易になる上、人形玩具の上半身になるべく沿った形状に環状の外装を変形させることができる。
【００１７】
なお一対の脛部構成部品としては、オートバイの一対のマフラー構成部を用いることができる。またオートバイの２本のタイヤを車軸と直交する方向に２分割可能な構造にしてもよい。この場合には、２分割された２本のタイヤのタイヤ半部を、それぞれロボット玩具の外装及び／または両脛部に装着する。このようにすると、あたかもタイヤをロボット玩具の鎧の一部のようにしてロボット玩具に装着できるので、変形前のオートバイの面影を大幅に減じることができ、形態変形玩具の変形度をより高めることができる。
【発明の効果】
【００１８】
本発明によれば、従来にない変形過程を楽しむことができる上、移動玩具の一部を構成する組立部品を予想外の形状に変形するができるので、形態変形玩具の愛好者の興味を大幅に高めることができる。
【発明を実施するための最良の形態】
【００１９】
以下図面を参照して本発明の実施の形態を詳細に説明する。図１（Ａ）乃至（Ｃ）は、本発明の形態変形玩具１の側面図、正面図、背面図及び平面図である。この形態変形玩具１は、オートバイ（移動玩具）３に人形玩具５が乗った状態から、オートバイ３の一部を分解して変形させて人形玩具５に装着することにより人形玩具３とは形態が異なったロボット玩具（図３）に変形するものである。そして図２（Ａ）乃至（Ｃ）は、オートバイ３の側面図、正面図及び平面図である。図３（Ａ）及び（Ｂ）は、形態変形後のロボット玩具２３を右斜め上から見た斜視図及び左下斜めから見た斜視図であり、図４（Ａ）乃至（Ｃ）はロボット玩具２３の正面図、左側面図及び平面図である。
【００２０】
これらの図において、オートバイ（移動玩具）３は、２本のタイヤ７及び９と、燃料タンク１１及びエンジン１２を備えたシャーシ１３と、フロントフォーク１４と、フロントカバー１５と、ハンドル１６と、リアカバー１７と、タイヤカバー１８と、それぞれステップ部２０を備えた２本のマフラー構成部１９及び２１と、アクセサリー６と、着座部８とを備えている。なおこのアクセサリ６は、例えばマシンガン等であり、複数の部品に分解可能である。図１には、最もシンプルな状態のアクセサリ６が示されており、図２にはマシンガンを構成するアクセサリ６´が示されている。後方のタイヤ９は、２本のマフラー構成部１９及び２１の間に挟み込まれるように挟持されている。２本のマフラー構成部１９及び２１の側面には、後に説明する二つ割りしたタイヤ９の半部（９Ａ及び９Ｂ）を嵌合するための嵌合用凹部１９ａが形成さている。なお図３及び図４には、一方のタイヤ半部９Ｂだけを図示してある。フロント側のタイヤ７も二つ割りの半部（７Ａ及び７Ｂ）が組み合わされて構成されている。タイヤ７の半部７Ａ及び７Ｂは、図３及び図４に示すように、それぞれ人形玩具５の肩部の側面に嵌合構造を用いて装着される。
【００２１】
また側面方向から見てフロントカバー１５の後方に位置するハンドル１６は、一対の腕部１６Ａ及び１６Ｂを備えている。後に説明するが、一対の腕部１６Ａ及び１６Ｂの端部には、リアカバー１７の両サイドに設けた一対の凹部１７ａ及び１７ｂ（被係合部）に係合されている一対の凸部１６ａ及び１６ｂ（係合部）が一体に設けられている。一対の腕部１６Ａ及び１６Ｂは、上下及び左右に回動可能または移動可能に設けられている。一対の腕部１６Ａ及び１６Ｂは、変形後には人形玩具５の両肩部の上にそれぞれ載った状態になる。
【００２２】
この例で、２本のマフラー構成部１９及び２１は、人形玩具５の脚部に装着されて図３及び図４に示すロボット玩具２３の脚部２２及び２４の脛部２２Ａ及び２４Ａを構成する一対の脛部構成部品を構成する。また燃料タンク１１、エンジン１２、シャーシ１３、フロントフォーク１４、フロントカバー１５、ハンドル１６及びリアカバー１７が、環状に組み合わされて人形玩具５の脚部５ｃ、腕部５ｂ及び頭部５ａを除いた人形本体部（人形の上半身）の肩部５ｄ、前面部５ｅ、股部５ｇ及び背面部５ｆを取り囲む外装３０を構成するように形態変形する組立部品を構成する。
【００２３】
燃料タンク１１は、後に詳しく説明するように、左右に別れる二つのタンク半部１１Ａ及び１１Ｂが組み合わされて構成されている。そして左右に分かれた二つのタンク半部１１Ａ及び１１Ｂの間を後述するフロント側フレーム１３Ａが通過し得るように、二つのタンク半部１１Ａ及び１１Ｂはリア側フレーム１３Ｂに回動可能に取り付けられている。
【００２４】
エンジン１２は、シャーシ１３に取り付けられる一対のエンジン構成部品１２Ａ及び１２Ｂとから構成される。シャーシ１３は、図２に示すように、フロント側フレーム１３Ａとリア側フレーム１３Ｂとから構成されている。フロント側フレーム１３Ａとフロントフォーク１４とは、所定の角度範囲内において回動自在に連結されている。またリア側フレーム１３Ｂとリアカバー１７とは所定の回動範囲内において回動自在に連結されている。このようにすると、後述する環状の外装３０に含まれる回動連結部の数が増えることになるため、環状の外装の変形が容易になる。
【００２５】
以下図１の状態から図３及び図４に示したロボット玩具に変形していく過程を説明する。まず図１に示す状態から人形玩具５をオートバイ３から下ろし、フロントフォーク１４から前方のタイヤ７を外す。次に一方のマフラー構成部１９又は２１を外し、その後後方のタイヤ９を他方のマフラー構成部１９又は２１から外す。そして次に他方のマフラー構成部を外す。またアクセサリ６及びエンジン構成部品１２Ａ及び１２Ｂを外す。図５（Ａ）は、このときの状態を示している。図５（Ａ）に示された構成が、人形玩具５の上半身に装着される外装３０を形成するために用いられる組立部品の構成である。
【００２６】
次に、図５（Ａ）に太い矢印で示すように、ハンドル１６の腕部１６Ａ及び１６Ｂを上方に回動して、図５（Ｂ）に示した状態にする。そして次に図６（Ａ）及び（Ｂ）に示すように燃料タンク１１のタンク半部１１Ａ及び１１Ｂを左右方向に開く。二つのタンク半部１１Ａ及び１１Ｂの間に形成する隙間Ｇは、フロント側フレーム１３Ａがその隙間を通る（または二つのタンク半部１１Ａ及び１１Ｂがフロント側フレーム１３Ａの両側に沿って反時計回り方向に回動し得る）幅寸法を有している。
【００２７】
次に図７（Ａ）に示すように、フロントカバー１５を反時計回り方向に回動して、フロントカバー１５と燃料タンク１１との係合を解除した後、図７（Ｂ）に示すように、二つのタンク半部１１Ａ及び１１Ｂをフロント側フレーム１３Ａの両側に沿って反時計回り方向に回動させる。またリアカバー１７をリア側フレーム１３Ｂに対して時計回り方向に回動する。またこのとき２本のフロントフォーク１４を中間部分で内側に折り曲げる。フロントフォーク１４は、２つのフォーク部分１４Ａ及び１４Ｂが回動機構を介して連結された構造を有している。リアカバー１７の着座部側のカバー部分１７Ａは反転可能にリアカバー本体１７Ｂに支持されている。カバー部分１７Ａの裏面には人形玩具に設けられた後述する被係合部（図９の符号５ｈで示した部分参照）と係合する係合部１７Ｃが設けられている。図７（Ｂ）は、カバー部材１７Ａを反転した状態を示している。
【００２８】
環状の外装３０を構成する場合には、図８（Ａ）に示すように、フロントカバー１５及びフロント側フレーム１３Ａを更に回動させて、ハンドル１６の一対の腕部１６Ａ及び１６Ｂの端部に設けた凸部１６ａ及び１６ｂをリアカバー１７に設けた凹部１７ａ及び１７ｂに嵌合する。環状の外装３０を単独で完成した状態は、図８（Ｂ）に示すとおりになる。
【００２９】
人形玩具５に外装３０を装着する場合には、図９及び図１０に示すように、ハンドル１６の一対の腕部１６Ａ及び１６Ｂをリアカバー１７に結合させる前に、人形玩具５を外装３０の内部に挿入する。人形玩具５の股部がフロント側フレーム１３Ａの上に乗り、一対の腕部１６Ａ及び１６Ｂが人形玩具５の両肩の上に位置するように人形玩具を配置する。このとき人形玩具５の背面部に設けた係合用凹部からなる被係合部５ｈに、リアカバー１７の着座部側のカバー部分１７Ａの裏面側に設けたピン状の係合部１７Ｃを係合させる。これによって、人形玩具５の外装３０に対する位置決めが完了し、人形玩具５と外装３０との間で不必要なガタツキが発生するのを防止することができる。
【００３０】
外装３０を人形玩具５に装着した後、図３及び図４に示すように、人形玩具５の両腕部にアクセサリ６をそれぞれ装着し、人形玩具５の肩部にタイヤ７の半部７Ａ及び７Ｂを装着し、フロント側フレーム１３Ａの両側にエンジン構成部品１２Ａ及び１２Ｂをそれぞれ嵌合構造を介して装着する。
【００３１】
上記実施の形態では、オートバイのフロントカバー１５、フロントフォーク１４及びフロント側フレーム１３Ａを含んで第１の組立部品構成部が構成されている。この第１の組立部品構成部は、主として人形玩具５の前面部５ｅ側に配置される。また燃料タンク１１、着座部８、リア側フレーム１３Ｂ及びリアカバー１７を含んで第２の組立部品構成部が構成されている。この第２の組立部品構成部は、第１の組立部品構成部に連結されて人形玩具５の背面部５ｆ側に配置される。さらにハンドル１６を含んで第３の組立部品構成部が構成されている。この第３の組立部品構成部は、第１及び第２の組立部品構成部を連結する機能を果す。
【００３２】
次に先に外した２本のマフラー構成部１９及び２１のステップ部２０側に形成された孔部に、人形玩具５の脚部の脛部及び足部を挿入する。２本のマフラー構成部１９及び２１のステップ部２０とは反対側に位置する端部には、マフラー構成部１９をロボット玩具２３の脛部２２Ａ及び２４Ａ及び足部として用いる場合の足部のつま先部２５を構成する部品２６と踵部２７を構成する部品２８とが変形可能に設けられている。
【００３３】
図１１（Ａ）及び（Ｂ）は、マフラー構成部１９がロボット玩具２３の脚部２２を構成するために変形した状態の側面図及び背面図をそれぞれ示している。また図１２（Ａ）及び（Ｂ）は、図１１（Ａ）のＶＩＡ−ＶＩＡ線断面図及び図１１（Ｂ）のＶＩＢ−ＶＩＢ線断面図を示している。マフラー構成部１９の構成部本体１９Ａは二つ割の成形品が組み合わされて構成されている。図１２（Ｂ）によく示されるように、ロボット玩具２３の脛部２２Ａを構成する構成部本体１９Ａの内部には構成部本体１９Ａの内部を上下方向（脛部２２Ａの長手方向）に延びる壁部分１９Ｂを備えた仕切り壁部１９Ｃが形成されている。壁部分１９Ｂには、壁部分１９Ｂと直交（脛部の長手方向と直交）し、つま先部２７を構成する部品２８と踵部２５を構成する部品２６とが並ぶ方向に延びる回動軸３１が踵部２５を構成する部品２６と一体に設けられている。なおこの踵部２５を構成する部品２６は、回動軸３１を構成する部分を含めて二つ割の成形品によって構成されている。回動軸３１は壁部分１９Ｂに回動自在に支持されているため、踵部２５を構成する部品２６は回動軸３１を中心にして所定の角度範囲内で左右に揺動する。
【００３４】
仕切り壁部１９Ｃの横方向に延びる壁部分１９Ｄには、人形玩具５の足の先端部に嵌合される突起３３が取り付けられている。人形玩具５の足の先端部には、この突起３３が嵌合する嵌合孔が形成されている。
【００３５】
つま先部２７を構成する部品２８は、構成部本体１９Ａの対向する一対の側壁部に両端が固定された回動軸３７を中心にして回動する。図１１に示す状態は、つま先部２７を構成するための部品２８が９０度回転している状態を示している。この状態では、脛部２２Ａを構成する構成部本体１９Ａの一部分３５が前方側に開いて、その先端部がつま先部２７を構成するための部品２８の上に乗った状態になっている。構成部本体１９Ａの一部分３５は、公知のヒンジ構造を介して構成部本体１９Ａに連結されている。
【００３６】
構成部本体１９Ａの対向する一対の側壁部と踵部２５を構成する部品２６との間には、部品２６が回動軸３１を中心にして前述の所定の角度範囲内を揺動することを許容する隙間ｇ（図１３参照）が形成されている。この隙間ｇは、ロボット玩具２３の一対の脚部（１９，２１）を横方向（ロボット玩具２３を正面から見たときの左右方向）に広げる（傾ける）角度の大きさに応じて定まる。図１３は、ロボット玩具の脚部２２，２４が左右方向に傾いた場合においても、踵部２５が設置面３８に対してその底面を全面的に接触させることができることを概念的に示している。ロボット玩具２３の脛部２２Ａ及び２４Ａを構成する構成部本体１９Ａ及び２１Ａの側壁部と踵部２５を構成する部品２６とが接触するまで、ロボット玩具２３の脚部は左右に広げれることが可能である。したがって前述の隙間ｇは、脚部を広げる角度に応じて任意に定められることになる。
【００３７】
この実施の形態の踵部取付機構は、原理的には回動軸３１と回動軸３１を回動自在に支持する壁部分１９Ｂとによって構成されている。そして壁部分１９Ｂが回転軸支持構造を構成することになる。この踵部取付機構は、ロボット玩具２３の一対の脚部２２，２４がロボット玩具を正面側から見たときに左右に開いている状態及び閉じている状態のいずれの状態においても、踵部２５の底面が設置面に全面的に接触するように踵部２５が脛部（２２Ａ，２４Ａ）に対して動き得るように構成されている。このようにすれば、上半身の重量が重くなったロボット玩具を脚を開いた状態で設置面３８上に設置した場合でも、安定した状態で玩具を立った状態に維持することができる。
【００３８】
なお踵部取付機構をつま先部側から脛部を見た状態で、踵部２５が脛部に対してさらに前後に傾き得るように構成してもよい。このような動きを実現するには、図１４に概念的に示すように、踵部取付機構を踵部２５を構成する部品２６に一体に設けられた球頭３９と構成部本体（１９Ａ，２１Ａ）側に設けられて球頭３９を回転自在に受け入れる球座４１とを用いて構成する。このようにした場合であっても、つま先部２７の一部が踵部２５とは別個に設置面と接触する上、構成部本体（１９Ａ，２１Ａ）の対向する一対の側壁部が踵部２５と接触すことにより踵部２５の動きが規制されるため、多少の外力が加わった場合であっても、踵部取付機構が動いてしまうといった事態が発生することはない。
【００３９】
なお上記の実施の形態では、オートバイの２本のタイヤ７，９を車軸と直交する方向に２分割可能な構造にしている。そして２分割された２本のタイヤのタイヤ半部を、それぞれロボット玩具の両肩部及び両脛部に装着するようにする。なお１つのタイヤ半部は図示を省略してある。このようにするとタイヤをロボット玩具の鎧の一部のようにしてロボット玩具に装着できるので、変形前のオートバイの面影を大幅に減じることができて、形態変形玩具の変形度をより高めることができる。
【００４０】
上記実施の形態は、移動玩具としてオートバイを用いたが、飛行機、船等のその他の移動玩具を用いる形態変化玩具にも本発明を適用できる。また上記実施の形態は、２本足で立つロボット玩具の足構造を本発明を提供したものであるが、本発明の玩具用足構造は４本足のロボット玩具の足構造に適用してもよく、足の本数は限定されるものではない。
【図面の簡単な説明】
【００４１】
【図１】（Ａ）乃至（Ｃ）は、本発明の形態変形玩具の側面図、正面図、背面図及び平面図である。
【図２】（Ａ）乃至（Ｃ）は、オートバイの側面図、正面図及び平面図である。
【図３】（Ａ）及び（Ｂ）は、形態変形後のロボット玩具を右斜め上から見た斜視図及び左下斜めから見た斜視図である。
【図４】（Ａ）乃至（Ｃ）はロボット玩具の正面図、左側面図及び平面図である。
【図５】（Ａ）は組立部品の構成を示す斜視図であり、（Ｂ）は（Ａ）から一部変形した状態を示す組立部品の斜視図である。
【図６】（Ａ）は、図５（Ｂ）の状態から更に変形した状態を示す組立部品の斜視図であり、（Ｂ）は（Ａ）から一部変形した状態を示す組立部品の斜視図である。
【図７】（Ａ）は、図６（Ｂ）の状態から更に変形した状態を示す組立部品の斜視図であり、（Ｂ）は（Ａ）から一部変形した状態を示す組立部品の斜視図である。
【図８】（Ａ）は、図７（Ｂ）の状態から更に変形した状態を示す組立部品の斜視図であり、（Ｂ）は（Ａ）から一部変形した状態を示す組立部品の斜視図である。
【図９】人形玩具に外装を装着する場合を説明するために用いる図である。
【図１０】人形玩具に外装を装着した場合を説明するために用いる図である。
【図１１】（Ａ）及び（Ｂ）は、マフラー構成部がロボット玩具の脚部を構成するために変形した状態の側面図及び背面図をそれぞれ示している。
【図１２】（Ａ）及び（Ｂ）は、図１１（Ａ）のＶＩＡ−ＶＩＡ線断面図及び図１１（Ｂ）のＶＩＢ−ＶＩＢ線断面図を示している。
【図１３】実施の形態の踵部取付機構の動きを概念的に説明するために用いる図である。
【図１４】踵部取付機構の変形例の動きを概念的に説明するために用いる図である。
【符号の説明】
【００４２】
１  形態変形玩具
３  オートバイ（移動玩具）
５  人形玩具
７，９  タイヤ
１１  燃料タンク
１１Ａ，１１Ｂ  タンク半部
１２  エンジン
１３  シャーシ
１３Ａ  フロント側フレーム
１３Ｂ  リア側フレーム
１４  フロントフォーク
１５  フロントカバー
１６  ハンドル
１６Ａ，１６Ｂ  腕部
１７  リアカバー
１９，２１  マフラー構成部
２３  ロボット玩具
２５  踵部
２７  つま先部
３０  外装
３１  回動軸
【図１】
2005224253.tif 000003
【図２】
2005224253.tif 000004
【図３】
2005224253.tif 000005
【図４】
2005224253.tif 000006
【図５】
2005224253.tif 000007
【図６】
2005224253.tif 000008
【図７】
2005224253.tif 000009
【図８】
2005224253.tif 000010
【図９】
2005224253.tif 000011
【図１０】
2005224253.tif 000012
【図１１】
2005224253.tif 000013
【図１２】
2005224253.tif 000014
【図１３】
2005224253.tif 000015
【図１４】
2005224253.tif 000016